【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
複数の側部を提供するコンピューティングデバイスであって、前記複数の側部のそれぞれは、前記コンピューティングデバイスの電子ディスプレイスクリーンと前記コンピューティングデバイスの背面との間に配設されており、前記コンピューティングデバイスは、前記コンピューティングデバイスの幅よりも大きい長さを有している、コンピューティングデバイスと、
前記コンピューティングデバイスと電子通信し、１対のコントロールモジュールを提供する入力デバイスであって、前記１対のコントロールモジュールは、前記コンピューティングデバイスの前記複数の側部のうちの少なくとも２つの対向する側部において、前記コンピューティングデバイスに隣接し、前記コンピューティングデバイスを閉じ込めており、前記１対のコントロールモジュールは、前記１対のコントロールモジュールが前記コンピューティングデバイスの前記長さを適応的にぴったりと収容し、一方、前記コンピューティングデバイスの前記幅が前記１対のコントロールモジュールの長さの境界の上下に延在するように構成されている、入力デバイスと、
前記１対のコントロールモジュールの一方を他方に固定している構造的ブリッジであって、前記構造的ブリッジは、前記構造的ブリッジが前記コンピューティングデバイスの前記長さを適応的にぴったりと収容するように構成されており、前記１対のコントロールモジュールのうちの第１のものは、前記構造的ブリッジと連絡する保持メカニズムを含み、前記保持メカニズムは、前記１対のコントロールモジュールのうちの前記第１のものに前記構造的ブリッジを固定しており、前記構造的ブリッジが、前記コンピューティングデバイスの前記長さをぴったりと収容するようになっている、構造的ブリッジと、
前記１対のコントロールモジュールと前記コンピューティングデバイスとの間の通信を促進させる通信リンクと、を備え、
前記構造的ブリッジが、前記コンピューティングデバイスの前記背面の中間部分を覆い隠している、
デバイス。
【手続補正２】
【補正対象書類名】明細書
【補正対象項目名】００８４
【補正方法】変更
【補正の内容】
【００８４】
本発明のさまざまな実施形態の多数の特性および構成が、本発明のさまざまな実施形態の構造および機能の詳細とともに、先述の説明において述べられてきたが、この詳細な説明は、単に例示目的のものであり、また、特にパーツの構造および配置の事項において、添付の特許請求の範囲の表現に用いられる用語の広義の一般的な意味によって示されている最大限の範囲まで、本発明の原理の範囲内で、詳細について変更を行うことが可能であるということが理解されるべきである。たとえば、特定のエレメントは、本発明の精神および範囲から逸脱することなく、特定のコンピューティングデバイスに応じて変化することが可能である。
［形態１］
複数の側部を提供するコンピューティングデバイスであって、前記複数の側部のそれぞれは、前記コンピューティングデバイスの電子ディスプレイスクリーンと前記コンピューティングデバイスの背面との間に配設されており、前記コンピューティングデバイスは、前記コンピューティングデバイスの幅よりも大きい長さを有している、コンピューティングデバイスと、
前記コンピューティングデバイスと電子通信し、１対のコントロールモジュールを提供する入力デバイスであって、前記１対のコントロールモジュールは、前記コンピューティングデバイスの前記複数の側部のうちの少なくとも２つの対向する側部において、前記コンピューティングデバイスに隣接し、前記コンピューティングデバイスを閉じ込めており、前記１対のコントロールモジュールは、前記１対のコントロールモジュールが前記コンピューティングデバイスの前記長さを適応的にぴったりと収容し、一方、前記コンピューティングデバイスの前記幅が前記１対のコントロールモジュールの長さの境界の上下に延在するように構成されている、入力デバイスと、
前記１対のコントロールモジュールの一方を他方に固定している構造的ブリッジであって、前記構造的ブリッジは、前記構造的ブリッジが前記コンピューティングデバイスの前記長さを適応的にぴったりと収容するように構成されており、前記１対のコントロールモジュールのうちの第１のものは、前記構造的ブリッジと連絡する保持メカニズムを含み、前記保持メカニズムは、前記１対のコントロールモジュールのうちの前記第１のものに前記構造的ブリッジを固定しており、前記構造的ブリッジが、前記コンピューティングデバイスの前記長さをぴったりと収容するようになっている、構造的ブリッジと、
前記１対のコントロールモジュールと前記コンピューティングデバイスとの間の通信を促進させる通信リンクと、を備え、
前記構造的ブリッジが、前記コンピューティングデバイスの前記背面の中間部分を覆い隠している、
デバイス。
［形態２］
形態１に記載のデバイスであって、
前記１対のコントロールモジュールのうちの前記第１のものは、ボトムカバーをさらに含み、前記ボトムカバーは、位置ガイドを提供しており、
前記テンショニングメカニズムが、
前記構造的ブリッジと連絡する取り付けボスと、
前記取り付けボスと協働する取り付けサポートであって、前記取り付けボスと協働して、前記構造的ブリッジを固定し、前記構造的ブリッジは、前記取り付けボスと前記取り付けサポートとの間に配設されている、取り付けサポートと、
前記取り付けサポートと連絡する付勢構造体であって、前記構造的ブリッジと前記１対のコントロールモジュールのうちの第２のものとの間にテンションを提供している、付勢構造体と、を含む、
デバイス。
［形態３］
形態２に記載のデバイスであって、前記取り付けサポートは、前記位置ガイドと相互作用するガイド開口を含み、前記ガイド開口と前記位置ガイドの相互作用は、前記構造的ブリッジと前記１対のコントロールモジュールのうちの前記第２のものとの間のアライメントを維持する、デバイス。
［形態４］
形態３に記載のデバイスであって、前記ガイド開口は、スロット形状にされた開口である、デバイス。
［形態５］
形態４に記載のデバイスであって、前記付勢構造体は、コイル状のばねである、デバイス。
［形態６］
形態５に記載のデバイスであって、前記構造的ブリッジは、その長さよりも小さい幅を提供しており、前記コンピューティングデバイスの前記背面は、前記構造的ブリッジの前記幅の上下に延在している、デバイス。
［形態７］
形態２に記載のデバイスであって、データストレージデバイスをさらに含み、前記データストレージデバイスは、前記入力デバイスの中に閉じ込められており、前記コンピューティングデバイスと連絡している、デバイス。
［形態８］
形態２に記載のデバイスであって、補助電源をさらに含み、前記補助電源は、前記入力デバイスの中に閉じ込められており、前記コンピューティングデバイスと連絡している、デバイス。
［形態９］
形態２に記載のデバイスであって、前記入力デバイスは、ゲームコントロールモジュールであり、前記ゲームコントロールモジュールは、信号を前記コンピューティングデバイスに伝え、前記信号は、前記コンピューティングデバイスの前記電子ディスプレイスクリーンの上に表示される画像を制御する、デバイス。
［形態１０］
形態２に記載のデバイスであって、前記入力デバイスは、キーボードモジュールを提供しており、前記キーボードモジュールは、前記コンピューティングデバイスに信号を伝え、前記信号は、前記コンピューティングデバイスの前記電子ディスプレイスクリーンの上に表示される画像を制御する、デバイス。
［形態１１］
形態２に記載のデバイスであって、前記構造的ブリッジは、硬質の構造体である、デバイス。
［形態１２］
形態２に記載のデバイスであって、前記構造的ブリッジは、可撓性の構造体である、デバイス。
［形態１３］
形態２に記載のデバイスであって、前記通信リンクは、信号経路である、デバイス。
［形態１４］
形態１３に記載のデバイスであって、前記信号経路は、金属経路である、デバイス。
［形態１５］
形態１３に記載のデバイスであって、前記信号経路は、光ファイバ経路である、デバイス。
［形態１６］
形態２に記載のデバイスであって、前記通信リンクは、通信プラットフォームを提供している、デバイス。
［形態１７］
形態１６に記載のデバイスであって、前記通信プラットフォームは、ワイヤード通信モジュールである、デバイス。
［形態１８］
形態１６に記載のデバイスであって、前記通信プラットフォームは、ワイヤレス通信プラットフォームである、デバイス。
［形態１９］
形態１８に記載のデバイスであって、前記ワイヤレス通信プラットフォームは、２．４ＧＨｚの周波数レンジで動作する、デバイス。
［形態２０］
形態１８に記載のデバイスであって、前記ワイヤレス通信プラットフォームは、パーソナルエリアネットワークである、デバイス。
［形態２１］
形態１８に記載のデバイスであって、前記ワイヤレス通信プラットフォームは、データトランザクションのための赤外線技術を利用する、デバイス。